(57)【要約】【課題】  自分自体、あるいはその近傍で必要とする電力を自分自体に設けた電源により供給することの出来る内装具のためのパーツ、および内装具を提供する。【解決手段】  本発明による内装具用パーツは、組み立てられて家屋内に配置される内装具を構成する複数の部材・部品であるパーツ群のうちの１つの内装具用パーツであって、非接触で充電される非接触型蓄電池であるバッテリーを内蔵し、このバッテリーが、外部電気機器に電力を供給するための接続端子、および／または当該内装具用パーツが具備し、あるいは当該内装具用パーツに組み付けられ、または当該内装具用パーツが組み付けられるパーツが具備する電動機器の電力入力端子に接続される電力出力端子を備えていることを特徴とする。【選択図】  図２
2020025853.tif 000002
【特許請求の範囲】
【請求項１】
組み立てられて家屋内に配置される内装具を構成する複数の部材・部品であるパーツ群のうちの１つの内装具用パーツであって、
一次電池であるバッテリーを内蔵し、
このバッテリーが、
外部電気機器に電力を供給するための接続端子、および／または
当該内装具用パーツに組み付けられ、または当該内装具用パーツが組み付けられるパーツが具備する電動機器の電力入力端子に接続される電力出力端子
を備えていることを特徴とする内装具用パーツ。
【請求項２】
組み立てられて内装具を構成する複数の部材・部品であるパーツ群のうちの１つの内装具用パーツであって、
非接触で充電される非接触型蓄電池であるバッテリーを内蔵し、
このバッテリーが、
外部電気機器に電力を供給するための接続端子、および／または
当該内装具用パーツが具備し、あるいは当該内装具用パーツに組み付けられ、または当該内装具用パーツが組み付けられるパーツが具備する電動機器の電力入力端子に接続される電力出力端子
を備えていることを特徴とする内装具用パーツ。
【請求項３】
前記接続端子が、ＡＣコンセントである請求項１〜３のいずれかの内装具用パーツ。
【請求項４】
前記接続端子が、ＵＳＢポートである請求項１〜３のいずれかの内装具用パーツ。
【請求項５】
組み立てられて内装具を構成する複数の部材・部品であるパーツ群のうちの１つの内装具用パーツであって、
非接触で充電される非接触型蓄電池であるバッテリーを内蔵し、
このバッテリーが、
外部電気機器にワイヤレスで電力を供給することのできる給電端子を持つ非接触型給電手段、および／または
当該内装具用パーツが具備し、あるいは当該内装具用パーツに組み付けられ、または当該内装具用パーツが組み付けられるパーツが具備する電動機器の電力入力端子に接続される電力出力端子
を備えていることを特徴とする内装具用パーツ。
【請求項６】
パワーコンディショナーを更に備えた請求項２または５の内装具用パーツ。
【請求項７】
外部から無線で操作され、前記電動機器のＯＮ・ＯＦＦならびに動作を操作する操作回路を更に備えた請求項２または５の内装具用パーツ。
【請求項８】
請求項１〜７のいずれかの内装具用パーツおよびその他のパーツを組み立てて構成された内装具。
【発明の詳細な説明】
【技術分野】
【０００１】
本発明は、内装具用パーツおよび内装具に関し、さらに詳細には、電源たる電池が組み込まれた内装具用パーツおよび内装具に関するものである。なお、この内装具とは、家屋（建築物、建造物）内に配置される家具等を意味し、例えば、デスク、椅子、仕切り壁（パーティション）等を指す。
【背景技術】
【０００２】
例えば、作業用デスクで作業をする場合等においては、しばしば電源を必要とするパソコンや電動器具が用いられる。このような電源（コンセント）は、従来、家屋の壁などに固定状態で設置されており、このため、前記作業用デスクが前記コンセントから遠い場合には、長いコードを必要とし、これが作業者の足に絡まったりして、大変に煩わしかった。
また、前記作業用デスクの設置場所によっては、前記コードを延長することが不可能な場合もあった。
【発明の概要】
【発明が解決しようとする課題】
【０００３】
そこで、本発明は、自分自体、あるいはその近傍で必要とする電力を自分自体に設けた電源により供給することの出来る内装具のためのパーツ、および内装具を提供することを目的とする。
【課題を解決するための手段】
【０００４】
上記目的は、下記（１）〜（８）の構造の本発明による内装具用パーツおよび内装具により達成することができる。
（１）組み立てられて家屋内に配置される内装具を構成する複数の部材・部品であるパーツ群のうちの１つの内装具用パーツであって、
一次電池であるバッテリーを内蔵し、
このバッテリーが、
外部電気機器に電力を供給するための接続端子、および／または
当該内装具用パーツに組み付けられ、または当該内装具用パーツが組み付けられるパーツが具備する電動機器の電力入力端子に接続される電力出力端子
を備えていることを特徴とする内装具用パーツ。
（２）
組み立てられて内装具を構成する複数の部材・部品であるパーツ群のうちの１つの内装具用パーツであって、
非接触で充電される非接触型蓄電池であるバッテリーを内蔵し、
このバッテリーが、
外部電気機器に電力を供給するための接続端子、および／または
当該内装具用パーツが具備し、あるいは当該内装具用パーツに組み付けられ、または当該内装具用パーツが組み付けられるパーツが具備する電動機器の電力入力端子に接続される電力出力端子
を備えていることを特徴とする内装具用パーツ。
（３）
前記接続端子が、ＡＣコンセントである前記（１）〜（３）のいずれかの内装具用パーツ。
（４）
前記接続端子が、ＵＳＢポートである前記（１）〜（３）のいずれかの内装具用パーツ。
（５）
組み立てられて内装具を構成する複数の部材・部品であるパーツ群のうちの１つの内装具用パーツであって、
非接触で充電される非接触型蓄電池であるバッテリーを内蔵し、
このバッテリーが、
外部電気機器にワイヤレスで電力を供給することのできる給電端子を持つ非接触型給電手段、および／または
当該内装具用パーツが具備し、あるいは当該内装具用パーツに組み付けられ、または当該内装具用パーツが組み付けられるパーツが具備する電動機器の電力入力端子に接続される電力出力端子
を備えていることを特徴とする内装具用パーツ。
（６）
パワーコンディショナーを更に備えた前記（２）または（５）の内装具用パーツ。
（７）
外部から無線で操作され、前記電動機器のＯＮ・ＯＦＦならびに動作を操作する操作回路を更に備えた前記（２）または（５）の内装具用パーツ。
（８）
前記前記（１）〜（７）のいずれかの内装具用パーツおよびその他のパーツを組み立てて構成された内装具。
【発明の効果】
【０００５】
以上説明したように、本発明の内装具用パーツおよび内装具によれば、有線によって供給される従来型の電源を必要とすることなく、自分自体、あるいはその近傍で必要とする電力を自分自体に設けた電源により供給することが出来る。
したがって、その内装具が電動走行具を持っていた場合、自体が備える電源により前記電動走行具を駆動させることができ、自走型内装具となる。
なお、本明細書においては、内装具と称したが、内装具が作業机等であった場合、屋外で用いることができるのは勿論である。この場合、屋外に特別にコンセント等の電源を設ける必要がなく、自体の有する電源により、電動機器を作動させることができ、非常に便利である。
【０００６】
なお、特開２０１８−３３６７号公報には、家具（例えば、ソファー）に蓄電池を収容する技術が開示されているが、この技術は、単に、家具に収容された蓄電池をいかに取り出しやすくするかに関するもので、本発明とは関係がない。
【先行技術文献】
【特許文献】
【０００７】
【特許文献１】特開２０１８−３３６７号公報
【図面の簡単な説明】
【０００８】
【図１】本発明の実施例による内装具であるテーブルの斜視図である。
【図２】図１に示したテーブルを分解して、パーツ毎に示した図である。
【図３】図１に示したテーブルの天板に内蔵させた電気系統を示す図である。
【図４】図３に示されたテーブルの天板と１本の脚の接合部に配置される、ソケットとプラグで構成される電気コネクタアッセンブリを示し、（ａ）は、ソケットとプラグが分離した状態を示し、（ｂ）は、接続した状態を示す図である。
【図５】脚に電源兼電子制御系ユニットを設けた例を説明する図である。
【図６】２本の脚に電源兼電子制御系ユニットを設けた場合の電気系統を示す図である。
【発明を実施するための形態】
【０００９】
本発明の実施の形態による内装具であるテーブルについて、図を参照しながら説明する。
図１および図２に示されているように、本テーブル１０は、天板２０、この天板２０に組み込まれた４本の脚３０、およびこれらの脚３０のそれぞれに取り付けられた走行部材４０を備えている。
天板２０の内部は、空洞になっていて、電源兼電子制御系ユニット５０を収容するユニット収容部６０となっている。すなわち、内装具のパーツである天板２０は、電源兼電子制御系ユニット５０を備えている。
【００１０】
前記電源兼電子制御系ユニット５０は、バッテリー５２を備えており、このバッテリーとしては、いわゆる乾電池である一次電池、または非接触で充電される非接触型蓄電池が好ましく用いられる。蓄電池としては、太陽光発電システムで発電された電力を供給されて、電力を蓄える形式のものであることが好ましく、この場合、電源兼電子制御系ユニット５０は、バッテリーの過充電防止等の充電の制御を行うパワーコンディショナー５４を備えていることが好ましい。
上記した太陽光発電システムを使用する場合は、テーブル１０の天板２０の上に配置されるカバー板７０に組み込むことが望ましい。なお、太陽光発電システムの太陽光発電パネルを、符号７２で示した。
【００１１】
前記電源兼電子制御系ユニット５０は、外部から無線で操作され、電動機器である走行部材４０のＯＮ・ＯＦＦならびに動作を操作する操作回路５６を更に備えていることが好ましい。
【００１２】
、
前記走行部材４０は、図２に示したように、車輪であるキャスター４２、このキャスター４２の転動方向すなわち向きを操作制御して、テーブル１０の走行方向を定める向きの制御，およびキャスター４２の回転駆動を制御する駆動の制御を行う制御機構４４を備えている。これら向き制御機構４４，および駆動機構４６は、それぞれモータ（図示せず）を備えており、これらのモータは、前記バッテリー５２により駆動され、その駆動の制御が前記制御機構４４によって行われる。
【００１３】
本発明の実施の形態による内装具であるテーブル１０においては、そのパーツであり、電源兼電子制御系ユニット５０を備えた天板２０と、それに取り付けられる（組み込まれる）脚３０の接続部に、および脚３０と走行部材４０（図５参照）の接続部に、図４に示したような電気コネクタアッセンブリ８０を備えている。
この電気コネクタアッセンブリ８０は、図４の（ａ）に示されているように、天板２０および脚３０のいずれか一方に配置されたソケット部１００と、他方に配置されたプラグ部２００を備えている。ここでは、ソケット部１００が脚３０の頂部に配置され、プラグ部２００が天板２０の底面に配置されているものとして説明する。なお、図４の（ａ）には、ソケット部とプラグ部を、互いに離間した状態で示し、一方。（ｂ）には、それらを接合した状態で示した。
【００１４】
ソケット部１００は、脚３０の頂部（頂面部）埋め込まれるプラスチックケーシング１１０を含む。ソケット部１００は、プラグ部が嵌合可能な前面１１１を有している。ソケット部はまた、２つの第１電気接点１２０、１２１が固定された可動支持体１１２を備える。２つの第１電気接点１２０、１２１は、導電線（図示せず）を介して走行部材４０に接続されている。ソケット部１００はまた、可動支持体１１２と一体的に移動し、磁気効果によって第１位置と第２位置との間を移動するように配置された、第１可動磁性部品１１３を備えている。
【００１５】
ソケット部のケーシング１１０の内部にはまた、ばね１１４が配置されている。このばね１１４は、例えば一方の端部がソケット部のケーシング１１０に固定され、他方の端部が可動支持体１１２に固定され、引き出しに必要な磁気吸引力が十分でないときに、第１磁性部品１１３をその第１位置に戻す作用を行う。この第１磁性部品１１３の第１位置では、第１電気接点１２０、１２１はソケット部１００内に格納され、第１磁性部品１１３の第２位置では、第１電気接点１２０、１２１はその前面１１１を貫通してソケット部１００から突出する。その第２位置では、支持体１１２及び磁性部品１１３によって形成された可動アセンブリは、例えばケーシング１１０の一部に対して当接して、その上方への動きが規制される。
【００１６】
一方、プラグ部２００は、ソケット部１００の前面１１１に、ソケット部１００とプラグ部２００との間の接合面Ｐにおいて当接する前面２１１を有するプラスチックケーシング２１０を備える（図６の（ｂ）参照）。プラグ部２００はさらに、ソケット部１００の２つの第１電気接点１２０、１２１と電気的に接触する、前記前面２１１と面一の２つの電気トラックである、２つの第２電気接点２２０、２２１を備えている。また、プラグ部２００をソケット部１００に近づけて第１電気接点１２０、１２１を引き出すときに、第１磁性部品１１３を引き付ける第２磁性部品２１３を含む。好ましくは、２つの電気トラックは円形であり、同心円状に配置されている。
【００１７】
前記第２磁性部品２１３は、扇状の永久磁石２１５を備え、この永久磁石２１５は、第１磁性部品１１３が有する扇状の強磁性体１５０を引き付けて、天板と脚を位置決めしつつ連結するとともに、第２電気接点２２０、２２１を第１電気接点１２０、１２１に電気的に接触させ、天板から脚への給電を可能にする。
前記した磁性部品は、天板２０に脚３０を接合する際の位置決め手段としても作用する。上記の磁性部品の磁力が充分に大きいときには、接合強度をだすための手段としても用いられるが、通常は、接合強度が弱いため補助の接合手段を用いる。
【００１８】
前記天板２０（または脚）はまた、外部電気機器に電力を供給するための接続端子を備えていてもよい。この接続端子としては、ＡＣまたはＤＣコンセント２２、あるいはＵＳＢポート２４が挙げられる。これらの接続端子は、勿論のことながら、前記電源兼電子制御系ユニット５０のバッテリー５２と、図３に示したような、配線５８を介して電気的に接続されており、該バッテリー５２にからの給電を受ける。
前記バッテリーは、外部電気機器にワイヤレスで電力を供給することのできる給電端子６０を持つ非接触型給電手段を備えていることもできる。この非接触型給電手段は、従来の電磁誘導方式、共鳴方式等のいずれも用いることができる。前記外部電気機器が、ＡＣで駆動するものの場合は、前記非接触型給電手段は、インバータを備えている。以上のような非接触型給電手段は、従来、電気カミソリ、スマートフォン、電気自転車、掃除ロボット等で盛んに用いられている。
【００１９】
以上説明した実施の形態においては、バッテリーをテーブルの天板に設置した形態のものについて説明したが、図５に示したように、脚３０の１本（あるいは、２本以上）に、電源兼電子制御系ユニット５０を設け、その中にバッテリーを搭載してもよい。この場合は、天板、および他の３本の脚には、この電源兼電子制御系ユニット５０のバッテリーから電力を給電する。２本の脚に電源兼電子制御系ユニットを設けた場合の電気系統を、図６に示した。
【００２０】
以上説明したように、本発明の実施の形態による内装具用パーツは、有線によって供給される従来型の電源を必要とすることなく、自分自体、あるいはその近傍で必要とする電力を自分自体に設けた電源により供給することが出来る。したがって、その内装具が電動走行具を持っていた場合、自体が備える電源により前記電動走行具を駆動させることができ、自走型内装具となる。
【符号の説明】
【００２１】
１０  テーブル
２０  天板
３０  脚
４０  走行部材
５０  電源兼電子制御系ユニット
６０  ユニット収容部
５２  バッテリー
５４  パワーコンディショナー
５６  操作回路
【図１】
2020025853.tif 000003
【図２】
2020025853.tif 000004
【図３】
2020025853.tif 000005
【図４】
2020025853.tif 000006
【図５】
2020025853.tif 000007
【図６】
2020025853.tif 000008